(57)【要約】  いくつかのコイル巻きを形成するように巻きつけられた断面が多角形である細長材を有するバランスばねに関する。本発明によると、バランスばねの少なくとも１つのコイル巻きは、少なくとも４つの止めメンバーを有するコイル巻きスペーサーデバイスを有し、前記少なくとも４つの止めメンバーは、前記細長材の前記少なくとも１つのコイル巻きの同じ側の面にマウントされ前記コイル巻きの厚みから突き出ており、前記少なくとも４つの止めメンバーのそれぞれは、前記細長材の別のコイル巻きの反対側の面と接触するように構成しており、衝撃を受けたときに前記別のコイル巻きが前記少なくとも１つのコイル巻きに触れることを防ぐ。【選択図】  図１２
2016538557.tif 000002
【特許請求の範囲】
【請求項１】
いくつかのコイル巻き（８、１０）を形成するように巻きつけられた断面が多角形である細長材（３、１３、２３、３３、４３、５３、６３、７３、８３、９３）を有するバランスばね（１、１１、２１、３１、４１、５１、６１、７１、８１、９１）であって、
少なくとも１つのコイル巻き（８、１０）は、少なくとも４つの止めメンバー（７、７’、１７、２７、３７、４７、５７、６７、７７、８７、９７）を有するコイル巻き（８、１０）どうしを離すデバイス（５、１５、２５、３５、４５、５５、６５、７５、８５、９５）を有し、
前記少なくとも４つの止めメンバーは、前記細長材（３、１３、２３、３３、４３、５３、６３、７３、８３、９３）の前記少なくとも１つのコイル巻き（８）の同じ側の面にマウントされ前記コイル巻き（８）の厚み（Ｅ）から突き出ており、
前記少なくとも４つの止めメンバー（７、７’、１７、２７、３７、４７、５７、６７、７７、８７、９７）のそれぞれは、前記細長材（３、１３、２３、３３、４３、５３、６３、７３、８３、９３）の別のコイル巻き（１０）の反対側の面と接触するように構成しており、
衝撃を受けたときに前記別のコイル巻き（１０）が前記少なくとも１つのコイル巻き（８）に触れることを防ぐ
ことを特徴とするバランスばね（１、１１、２１、３１、４１、５１、６１、７１、８１、９１）。
【請求項２】
前記少なくとも４つの止めメンバー（７、７’、１７、２７、３７、４７、５７、６７、７７）は、同じ側の面上にて互いに同じ角度（α）を形成するように分布している
ことを特徴とする請求項１に記載のバランスばね（１、１１、２１、３１、４１、５１、６１、７１、８１、９１）。
【請求項３】
前記少なくとも１つのコイル巻き（８、１０）は、前記コイル巻き（８、１０）どうしを離すデバイス（５、１５、２５、３５、４５、５５、６５、７５、８５、９５）を有し、これは、９０°の角（α）を形成するように分布している４つの止めメンバー（７、７’、１７、２７、３７、４７、５７、６７、７７、８７、９７）を有する
ことを特徴とする請求項２に記載のバランスばね（１、１１、２１、３１、４１、５１、６１、７１、８１、９１）。
【請求項４】
前記少なくとも１つのコイル巻き（８、１０）は、前記コイル巻き（８、１０）どうしを離すデバイス（５、１５、２５、３５、４５、５５、６５、７５、８５、９５）を有し、これは、４５°の角（α）を形成するように分布している８つの止めメンバー（７、７’、１７、２７、３７、４７、５７、６７、７７、８７、９７）を有する
ことを特徴とする請求項２に記載のバランスばね（１、１１、２１、３１、４１、５１、６１、７１、８１、９１）。
【請求項５】
前記少なくとも４つの止めメンバー（７、７’、１７、２７、３７、４７、５７、６７、７７、８７、９７）は、前記細長材（３、１３、２３、３３、４３、５３、６３、７３、８３、９３）の高さ（Ｈ）の少なくとも一部上で前記細長材の厚み（Ｅ）から突き出ている
ことを特徴とする請求項１〜４のいずれかに記載のバランスばね（１、１１、２１、３１、４１、５１、６１、７１、８１、９１）。
【請求項６】
前記少なくとも４つの止めメンバー（７、７’、１７、２７、３７、４７、５７、６７、７７、８７、９７）は、前記細長材（３、１３、２３、３３、４３、５３、６３、７３、８３、９３）の高さ（Ｈ）全体上で前記細長材の厚み（Ｅ）から突き出ている
ことを特徴とする請求項５に記載のバランスばね（１、１１、２１、３１、４１、５１、６１、７１、８１、９１）。
【請求項７】
前記少なくとも４つの止めメンバー（７、７’、１７、２７、３７、４７、５７、６７、７７、８７、９７）はそれぞれ、三角柱の形であり、
前記三角柱のエッジ（９’、９、１９、２９、３９、４９、５９、６９、７９）が前記別のコイル巻き（１０）の面に対向する
ことを特徴とする請求項１〜６のいずれかに記載のバランスばね（１、１１、２１、３１、４１、５１、６１、７１、８１、９１）。
【請求項８】
前記少なくとも４つの止めメンバー（７、７’、１７、２７、３７、４７、５７、６７、７７、８７、９７）はそれぞれ、五角柱の形であり、
前記五角柱のエッジ（９’、９、１９、２９、３９、４９、５９、６９、７９）が前記別のコイル巻き（１０）の面に対向する
ことを特徴とする請求項１〜６のいずれかに記載のバランスばね（１、１１、２１、３１、４１、５１、６１、７１、８１、９１）。
【請求項９】
前記別のコイル巻き（１０）の面に対向する前記少なくとも４つの止めメンバー（７、７’、１７、２７、３７、４７、５７、６７、７７、８７、９７）の前記エッジ（９’、９、１９、２９、３９、４９、５９、６９、７９）は、衝撃を受けたときに接触圧力を低くするように丸められている
ことを特徴とする請求項７又は８に記載のバランスばね（１、３１、４１、５１、６１、７１、８１、９１）。
【請求項１０】
前記少なくとも４つの止めメンバー（７、７’、１７、２７、３７、４７、５７、６７、７７、８７、９７）はそれぞれ、衝撃を受けたときに接触圧力を低くするように半円の柱体の形である
ことを特徴とする請求項１〜６のいずれかに記載のバランスばね（１、１１、２１、３１、４１、５１、６１、７１、８１、９１）。
【請求項１１】
前記少なくとも４つの止めメンバー（７、７’、１７、２７、３７、４７、５７、６７、７７、８７、９７）の半径方向の厚みは、前記細長材（３、１３、２３、３３、４３、５３、６３、７３、８３、９３）の公称厚みの２０％〜５０％である
ことを特徴とする請求項１〜１０のいずれかに記載のバランスばね（１、１１、２１、３１、４１、５１、６１、７１、８１、９１）。
【請求項１２】
前記少なくとも４つの止めメンバー（７、７’、１７、２７、３７、４７、５７、６７、７７、８７、９７）には、少なくとも部分的に空欠部を設けられ、これによって、前記バランスばね（１、１１、２１、３１、４１、５１、６１、７１、８１、９１）のアンバランスに対する前記止めメンバーの質量の影響を調整する
ことを特徴とする請求項１〜１１のいずれかに記載のバランスばね（１、１１、２１、３１、４１、５１、６１、７１、８１、９１）。
【請求項１３】
前記少なくとも４つの止めメンバー（７、７’、１７、２７、３７、４７、５７、６７、７７、８７、９７）は、局所的な剛性の増加を制限する前記少なくとも４つの止めメンバー（７、７’、１７、２７、３７、４７、５７、６７、７７、８７、９７）の柱体の基礎よりも厚みが薄い中間的な基礎（６８、７８）に補助されて、前記バランスばねの同じ側の面上にマウントされる
ことを特徴とする請求項１〜１２のいずれかに記載のバランスばね（１、１１、２１、３１、４１、５１、６１、７１、８１、９１）。
【請求項１４】
前記少なくとも４つの止めメンバー（７、７’、１７、２７、３７、４７、５７、６７、７７、８７、９７）は、前記バランスばね（１、１１、２１、３１、４１、５１、６１、７１、８１、９１）の各コイル巻き上に分布している
ことを特徴とする請求項１〜１３のいずれかに記載のバランスばね（１、１１、２１、３１、４１、５１、６１、７１、８１、９１）。
【請求項１５】
内周コイル巻きは、アーバーに固定されるように構成しているコレット（４、８４、９４）と一体的になっている
ことを特徴とする請求項１〜１４のいずれかに記載のバランスばね（１、１１、２１、３１、４１、５１、６１、７１、８１、９１）。
【請求項１６】
前記バランスばね（１、１１、２１、３１、４１、５１、６１、７１、８１、９１）は、一体的になっている
ことを特徴とする請求項１〜１５のいずれかに記載のバランスばね（１、１１、２１、３１、４１、５１、６１、７１、８１、９１）。
【請求項１７】
前記バランスばね（１、１１、２１、３１、４１、５１、６１、７１、８１、９１）は、ケイ素を含有する材料によって形成されている
ことを特徴とする請求項１〜１６のいずれかに記載のバランスばね（１、１１、２１、３１、４１、５１、６１、７１、８１、９１）。
【請求項１８】
請求項１〜１７のいずれかに記載のバランスばね（１、１１、２１、３１、４１、５１、６１、７１、８１、９１）を少なくとも１つ有する
ことを特徴とする計時器。
【発明の詳細な説明】
【技術分野】
【０００１】
本発明は、ばねを用いる共振器の作動を改善するように、コイル巻きどうしが付着するリスクを減らすことを意図されたバランスばねに関する。
【背景技術】
【０００２】
測時技術においては、細長材が実質的にアルキメデススパイラル軌道を描くように巻かれるようなバランスばねを形成することがよく行われている。しかし、結晶ケイ素のような新しい材料が測時技術において使用されるにしたがって、コイル巻きどうしが付着することが観測されている。
【発明の概要】
【発明が解決しようとする課題】
【０００３】
本発明は、伝統的なバランスばねの代わりであってコイル巻きどうしが付着することを防ぐものを提案することによって、前記課題のすべて又は一部を克服することを目的とする。
【課題を解決するための手段】
【０００４】
このために、本発明は、いくつかのコイル巻きを形成するように巻きつけられた断面が多角形である細長材を有するバランスばねに関し、バランスばねの少なくとも１つのコイル巻きは、少なくとも４つの止めメンバーを有するコイル巻きスペーサーデバイスを有し、前記少なくとも４つの止めメンバーは、前記細長材の前記少なくとも１つのコイル巻きの同じ側の面にマウントされ前記コイル巻きの厚みから突き出ており、前記少なくとも４つの止めメンバーのそれぞれは、前記細長材の別のコイル巻きの反対側の面と接触するように構成しており、衝撃を受けたときに前記別のコイル巻きが前記少なくとも１つのコイル巻きに触れることを防ぐ。
【０００５】
好ましいことに、本発明によると、コイル巻きスペーサーデバイスを備えたバランスばねは、前記少なくとも４つの止めメンバーにおける接触面を制限することによって、コイル巻きどうしが付着するリスクを幾何学的になくす。
【０００６】
本発明の他の好ましい変種は、以下の特徴を有する。
−  前記少なくとも４つの止めメンバーが、互いに同じ角度を形成するように同じ側の面上に設けられている。
−  前記少なくとも１つのコイル巻きが、９０°の角を形成するように４つの止めメンバーを又は４５°の角を形成するように８つの止めメンバーを有するコイル巻きスペーサーデバイスを有する。
−  前記少なくとも４つの止めメンバーが、細長材の高さの少なくとも一部又はすべての上の厚みから突き出ている。
−  前記少なくとも４つの止めメンバーがそれぞれ、三角柱又は五角柱の形であり、１つのエッジが別のコイル巻きの表面に対向している。
−  別のコイル巻きの表面に対向している前記少なくとも４つの止めメンバーのエッジが、衝撃を受けたときに接触圧力が低くなるように丸められる。
−  前記少なくとも４つの止めメンバーがそれぞれ、衝撃を受けたときに接触圧力を低くなるように、半円形の柱体の形をしている。
−  前記少なくとも４つの止めメンバーの半径方向の厚みは、細長材の公称厚みの２０％〜５０％である。
−  前記少なくとも４つの止めメンバーに少なくとも部分的に空欠部を設けられ、これによって、バランスばねのアンバランスに対する前記止めメンバーの質量の影響を調整する。
−  前記少なくとも４つの止めメンバーが、中間的な基礎に補助されて、バランスばねの表面上にマウントされ、これによって、局所的な剛性の増加を制限する。
−  前記少なくとも４つの止めメンバーが、バランスばねの各コイル巻き上に分布している。
−  内周コイル巻きは、アーバーに固定されるように構成するコレットと一体的になっている。
−  前記バランスばねは、ケイ素を含有する材料によって形成されている。
−  前記バランスばねは、一体的にされている。
【０００７】
最後に、本発明は、さらに、前記変種のいずれかに記載のバランスばねを少なくとも１つ有する計時器に関する。
【０００８】
以下の添付図面を参照しながら例としてのみ示す以下の説明を読むことで、他の特徴及び利点が明確になるであろう。
【図面の簡単な説明】
【０００９】
【図１】本発明に係るコイル巻きスペーサーデバイスの部分的な平面図である。
【図２】本発明に係るコイル巻きスペーサーデバイスの１つの例の部分的な斜視図である。
【図３】本発明に係るコイル巻きスペーサーデバイスの１つの例の部分的な斜視図である。
【図４】本発明に係るコイル巻きスペーサーデバイスの実施形態の部分的な平面図である。
【図５】本発明に係るコイル巻きスペーサーデバイスの実施形態の部分的な平面図である。
【図６】本発明に係るコイル巻きスペーサーデバイスの実施形態の部分的な平面図である。
【図７】本発明に係るコイル巻きスペーサーデバイスの実施形態の部分的な平面図である。
【図８】本発明に係るコイル巻きスペーサーデバイスの実施形態の部分的な平面図である。
【図９】本発明に係るコイル巻きスペーサーデバイスの実施形態の部分的な平面図である。
【図１０】本発明に係るコイル巻きスペーサーデバイスの実施形態の部分的な平面図である。
【図１１】本発明に係るバランスばねのコレット及び内周コイル巻きの開始点の部分的な斜視図である。
【図１２】本発明に係るコイル巻きスペーサーデバイスの他の実施形態の平面図である。
【図１３】本発明に係るコイル巻きスペーサーデバイスの他の実施形態の平面図である。
【発明を実施するための形態】
【００１０】
本発明は、測時技術の分野向けに意図されたバランスばねに関する。より詳細には、バランスばねは、計時器にマウントされるように意図され、例えば、バランスとともにマウントされ、これによって、計時器の規制要素を形成するばね仕掛けバランス共振器を形成する。
【００１１】
上で説明したように、結晶ケイ素のばねを使用することによって、コイル巻きどうしが付着してしまうことが観測されている。実際に、対面している２つのコイル巻きの高さＨ、すなわち、垂直部分は、例えば、計時器が衝撃を受けたときに、２つのコイル巻きが近づくだけで接着してしまうほどに、非常に滑らかである。この接着は、製造時又は着用時にばねが汚れや潤滑剤で汚染されれば、さらに増えてしまうことがある。
【００１２】
本発明に係るバランスばね１、１１、２１、３１、４１、５１、６１、７１、８１、９１は、細長材３、１３、２３、３３、４３、５３、６３、７３、８３、９３を有し、これは、長さＬ、高さＨ、厚みＥであり、高さＨ及び厚みＥは、好ましくは長方形である多角形の断面を形成している。なお、第１のコイル巻きの細長材３、１３、２３、３３、４３、５３、６３、７３、８３、９３の高さに沿って形成される表面は、細長材の隣接コイル巻き上の反対側の面に対向している。
【００１３】
好ましいことに、本発明によると、上で説明した接着の課題を克服するために、バランスばね１、１１、２１、３１、４１、５１、６１、７１、８１、９１の少なくとも１つのコイル巻き８、１０は、コイル巻きスペーサーデバイス５、１５、２５、３５、４５、５５、６５、７５、８５、９５を有し、これは、少なくとも４つの止めメンバー７、７’、１７、２７、３７、４７、５７、６７、７７、８７、９７を有し、これらは、同じ側の面上にマウントされており細長材の前記少なくとも１つのコイル巻きの厚みＥから突き出ており、前記少なくとも４つの止めメンバー７、７’、１７、２７、３７、４７、５７、６７、７７、８７、９７のそれぞれは、細長材３、１３、２３、３３、４３、５３、６３、７３、８３、９３の別のコイル巻きの反対側の面と接触するように構成しており、これによって、衝撃を受けたときに別のコイル巻きが前記少なくとも１つのコイル巻きに触れてしまうことを防ぐ。
【００１４】
図１は、完全に縮まっている本発明に係るバランスばね１の例を示している。図１は、コイル巻きスペーサーデバイス５の例の部分的な平面図である。細長材３によって形成されている第１のコイル巻き８は、バランスばね１の中心を中心とする第１の半径Ｒ1上に延在している。細長材３によって形成されている第２のコイル巻き１０は、バランスばね１の中心を中心とする第２の半径Ｒ2上に延在している。図１にて、バランスばね１が最大に収縮されているので、第２の半径Ｒ2と第１の半径Ｒ１の間の差が正常動作時のコイル巻き８とコイル巻き１０の間の最小距離Ｄに対応することがわかる（Ｒ2−Ｒ1＝Ｄ）。
【００１５】
図１において、正常動作時において、前記少なくとも４つの止めメンバー７、７’が、細長材の厚みＥから深さＰまで突き出ており、これによって、両コイル巻きの間の最小距離Ｄに対して、ギャップＩが残る（Ｉ＝Ｄ−Ｐ）。また、前記少なくとも４つの止めメンバー７、７’は、角αを形成するように第１のコイル巻き８の同じ側の面上に分布している。
【００１６】
衝撃を受けたときには、コイル巻き８、１０どうしを離すデバイス５は、第２のコイル巻き１０が第１のコイル巻き８に触れることを防ぐ。図１において、第２のコイル巻き１０は、破線のコイル巻き１０’によって表されている。衝撃によって異常に変形した第２のコイル巻き１０’が前記少なくとも４つの止めメンバー７、７’と接触して、異常に変形した第２のコイル巻き１０’が第１のコイル巻き８から安全距離Ｓを保ち続けることがわかる。
【００１７】
計算をすることで、良好な近似として、前記少なくとも４つの止めメンバー７、７’、１７、２７、３７、４７、５７、６７、７７、８７、９７は、コイル巻き当たりの止めメンバーの数に依存して４５°〜１７０°の角αを形成するように、コイル巻きの同じ側の面上に分布することが好ましいことがわかった。折り合いをつけて、角９０°であれば、すべての計時器バランスばね構造１、１１、２１、３１、４１、５１、６１、７１、８１、９１における安全距離Ｓが満足するものであることを確実にすることができるようである。もちろん、必要な用途に応じて角αを調整することができる。
【００１８】
図２に示す第１の変種によると、バランスばね１は、コイル巻きスペーサーデバイス５を備える細長材３を有し、これにおいて、前記少なくとも４つの止めメンバー７が、バランスばね１の細長材３の高さＨ全体にわたって厚みＥから突き出ている。もちろん、この第１の変種は、細長材３の高さＨに対する前記少なくとも４つの止めメンバー７の相対的な高さ及び／又は位置に関して制限されるものではない。図３に示す第２の変種によると、バランスばね１１は、コイル巻きスペーサーデバイス１５を備える細長材１３を有し、これにおいて、前記少なくとも４つの止めメンバー１７が、細長材１３の高さＨの一部上のみの厚みＥから突き出ている。
【００１９】
もちろん、同じコイル巻きスペーサーデバイス５、１５、２５、３５、４５、５５、６５、７５、８５、９５の中で異なる構成の前記少なくとも４つの止めメンバー７、７’、１７、２７、３７、４７、５７、６７、７７、８７、９７を組み合わせることを思い描くことができる。例えば、第１の変種の止めメンバー７と、第２の変種の止めメンバー１７との交互構成とすることができる。
【００２０】
図１〜３の例は、前記少なくとも４つの止めメンバー７、７’、１７のそれぞれが三角柱の形態であってエッジ９、１９が別のコイル巻きの反対側の面に対向しているものを開示している。前記少なくとも４つの止めメンバー７、７’、１７、２７、３７、４７、５７、６７、７７、８７、９７をこの三角柱の形に制限するべきでないことを容易に理解できるであろう。
【００２１】
したがって、代替実施形態によると、前記少なくとも４つの止めメンバー７、７’、１７、２７、３７、４７、５７、６７、７７、８７、９７は、異なる形であることができる。例えば、五角柱や部分円柱の形であり、エッジ９、９’、１９、２９、３９、４９、５９、６９、７９を備えていたり部分的に空欠部が設けられていたりし、あるいは異なる構成を有することができる。例えば、コイル巻きの同じ側の面に異なる方法でマウントすることができる。
【００２２】
図４〜１０及び１２〜１３を参照して、本発明に係るコイル巻きスペーサーデバイス５、１５、２５、３５、４５、５５、６５、７５、８５、９５の例示的な実施形態について説明する。図４の第１の実施形態は、図１〜３に示した実施形態のものである。これは、コイル巻きスペーサーデバイス５を備える細長材３によって形成されるバランスばね１を有し、コイル巻きスペーサーデバイス５は、中実の三角柱の形をしている前記少なくとも４つの止めメンバー７、７’を有し、これは、細長材３の厚みＥから直接突き出ており、隣接コイル巻きに対向しているとがっているエッジ９を備えている。
【００２３】
図５の第２の実施形態は、図４のものに近い。実際に、これは、コイル巻きスペーサーデバイス２５を備える細長材２３によって形成されるバランスばね２１を有し、コイル巻きスペーサーデバイス２５は、細長材２３の厚みＥから直接突き出ている中実の三角柱の形の前記少なくとも４つの止めメンバー２７を有する。しかし、この第２の実施形態において、隣接コイル巻きに対向しているエッジ２９は、衝撃を受けたときに、接触圧力を低くするために丸められる。
【００２４】
図６の第３の実施形態は、図５のものに近い。実際に、これは、コイル巻きスペーサーデバイス３５を備える細長材３３によって形成されるバランスばね３１を有し、コイル巻きスペーサーデバイス３５は、細長材３３の厚みＥから直接突き出ている三角柱の形で前記少なくとも４つの止めメンバー３７を有しており、これは、隣接コイル巻きに対向している丸められたエッジ３９を備えている。しかし、この第３の実施形態において、前記少なくとも４つの止めメンバー３７は少なくとも部分的に空欠部を設けられ、これによって、それらの質量の影響をバランスばね３１のアンバランスに対して調整する。
【００２５】
図７の第４の実施形態は、コイル巻きスペーサーデバイス４５を備える細長材４３によって形成されるバランスばね４１を有し、コイル巻きスペーサーデバイス４５は、細長材４３の厚みＥから直接突き出ている中実の五角柱の形で前記少なくとも４つの止めメンバー４７を有し、これは、隣接コイル巻きに対向しているとがっているエッジ４９を備える。
【００２６】
図８の第５の実施形態は、図７のものに近い。実際に、これは、コイル巻きスペーサーデバイス５５を備える細長材５３によって形成されるバランスばね５１を有し、コイル巻きスペーサーデバイス５５は、細長材５３の厚みＥから直接突き出ている五角柱の形で前記少なくとも４つの止めメンバー５７を有する。しかし、この第２の実施形態において、隣接コイル巻きに対向しているエッジ５９は丸められ、前記少なくとも４つの止めメンバー５７は少なくとも部分的に空欠部を設けられる。
【００２７】
図９の第６の実施形態は、図４のものに近い。実際に、これは、コイル巻きスペーサーデバイス６５を備える細長材６３によって形成されるバランスばね６１を有し、コイル巻きスペーサーデバイス６５は、細長材６３の厚みＥから直接突き出ている中実の三角柱の形で前記少なくとも４つの止めメンバー６７を有し、これは、隣接コイル巻きに対向しているとがっているエッジ６９を備える。したがって、この第６の実施形態において、前記少なくとも４つの止めメンバー６７は、三角柱の基礎よりも厚みが薄い中間的な基礎６８に補助されて、バランスばねの同じ側の面上にマウントされ、これによって、細長材６３の厚みＥの局所的な増加によって引き起こされる局所的な剛性の増加を制限する。中間的な基礎６８は、基礎が実質的に長方形又は正方形である多柱形である。
【００２８】
最後に、図１０の第７の実施形態は、図９のものに近い。実際に、これは、コイル巻きスペーサーデバイス７５を備える細長材７３によって形成されるバランスばね７１を有し、コイル巻きスペーサーデバイス７５は、中間的な基礎７８に補助されて、細長材７３の厚みＥから突き出ている三角柱の形で前記少なくとも４つの止めメンバー７７を有する。しかし、この第７の実施形態において、隣接コイル巻きに対向しているエッジ７９は、丸められ、前記少なくとも４つの止めメンバー７７は、少なくとも部分的に空欠部を設けられる。
【００２９】
もちろん、本発明は、図示した例に制限されず、当業者が思い描くことができる様々な変種や改変が可能である。具体的には、前記の７つの実施形態は、これらに制限されるものではない。すなわち、他の形態及び／又は構成を思い描くことができる。
【００３０】
例えば、前記少なくとも４つの止めメンバーは、部分的な円筒状であることができる。すなわち、基礎の断面が半円形のような部分的な円形であるような柱体であることができる。したがって、図１２の第８の実施形態は、コイル巻きスペーサーデバイス８５を備える細長材８３によって形成されるバランスばね８１を有し、コイル巻きスペーサーデバイス８５は、隣接コイル巻きに対向している細長材８３の厚みＥから直接突き出ている中実の半円柱の形で前記少なくとも４つの止めメンバー８７を有する。図１２に示すように、細長材８３は、各コイル巻き上で９０°ごとに配置された４つの止めメンバー８７を有し、バランスばね８１が安静であるときに止めメンバー８７の４つの連続が９０°ごとにアライメントを形成している。また、バランスばね８１の内周コイル巻き８２は、その自由端がコレット８４と一体的にされており、その軌道がＧｒｏｓｓｍａｎｎ曲線を描くことに留意すべきである。また、バランスばね８１の外側コイル巻き８６は、その自由端が、バランスばね８１をバランスばねスタッドに押さえ付けるための取付け部分８９と一体的にされており、局所的な剛性を与えるために厚くされている１つの部分８８を有する。
【００３１】
この第８の実施形態は、厚みＥが４２．５μｍ、安静時の距離Ｄが５２μｍ、３００°の短縮距離Ｄが２６μｍ及び深さＰが１０〜１５μｍの細長材８３を用いると満足的であることがわかった。なお、深さＰが細長材８３の厚みの２０％〜５０％であれば、スペーサーデバイス８５が有効であることを確実にするのに十分であることを理解できるであろう。
【００３２】
図１３の第９の実施形態は、コイル巻きスペーサーデバイス９５を備える細長材９３によって形成されるバランスばね９１を有し、コイル巻きスペーサーデバイス９５は、細長材９３の厚みＥから直接突き出ている中実の半円柱の形で前記少なくとも８つの止めメンバー９７を有し、これは、隣接コイル巻きに対向している。図１３に示すように、細長材９３は、各コイル巻き上にて４５°ごとに配置された８つの止めメンバー９７を有し、止めメンバー９７の８つの連続は、バランスばね９１が安静であるときに４５°ごとにアラインメントを形成している。また、バランスばね９１の内周コイル巻き９２は、その自由端がコレット９４と一体的になっており、その軌道がＧｒｏｓｓｍａｎｎ曲線を描くことには留意すべきである。また、バランスばね９１の外側コイル巻き９６は、その自由端が、バランスばねスタッドにバランスばね９１を押さえ付けるための取付け部分９９と一体的になっており、局所的な剛性を与えるために厚くされている１つの部分９８を有する。
【００３３】
もちろん、第８の実施形態や第９の実施形態のように、他の実施形態に係るバランスばね１、１１、２１、３１、４１、５１、６１、７１の内周コイル巻きは、図１１の例において示したようなアーバーに固定されるように構成するコレットと一体的であることができる。
【００３４】
図１１は、内周コイル巻き２がコイル巻きスペーサーデバイス５を備える単一の細長材３によって形成されるバランスばね１を部分的に示しており、コイル巻きスペーサーデバイス５は、細長材３の厚みＥから突き出ている三角柱の形をしている前記少なくとも４つの止めメンバー７、７’を有し、内周コイル巻き２は、コレット４と一体的にされている。実質的にトレフォイル状であるコレット４には、例えば、バランススタッフを受けるように意図された穴６が設けられている。
【００３５】
したがって、本発明の範囲から逸脱せずに、同じコイル巻き表面及び／又は少なくとも２つの連続コイル巻きにおいて、図１〜１３の一又は複数の実施形態を組み合わせることを思い描くことができることがわかるであろう。
【００３６】
これは、上記の例を読むことによって、バランスばね１、１１、２１、３１、４１、５１、６１、７１、８１、９１を一体的にすることができる。すなわち、細長材３、１３、２３、３３、４３、５３、６３、７３、８３、９３を材料の不連続性がないように形成することができる。このようなバランスばね１、１１、２１、３１、４１、５１、６１、７１、８１、９１は、ケイ素を含有する材料によって形成することができる。すなわち、例えば、単結晶ケイ素、多結晶ケイ素、ドープされた単結晶ケイ素、ドープされた多結晶ケイ素、アモルファスケイ素、多孔性のケイ素、ドープされた又はドープされていない炭化ケイ素、ドープされた又はドープされていない窒化ケイ素、石英又はシリカのようなドープされた又はドープされていない酸化ケイ素である。実際に、このような材料の異方性エッチングを、湿式法や乾式法によって行うことができる。
【図１】
2016538557.tif 000003
【図２】
2016538557.tif 000004
【図３】
2016538557.tif 000005
【図４】
2016538557.tif 000006
【図５】
2016538557.tif 000007
【図６】
2016538557.tif 000008
【図７】
2016538557.tif 000009
【図８】
2016538557.tif 000010
【図９】
2016538557.tif 000011
【図１０】
2016538557.tif 000012
【図１１】
2016538557.tif 000013
【図１２】
2016538557.tif 000014
【図１３】
2016538557.tif 000015
【国際調査報告】
2016538557.tif 000016
2016538557.tif 000017
2016538557.tif 000018
2016538557.tif 000019